(57)【要約】【課題】個々の好みに合った枕の形状を作ることが可能で、高めの枕の状態を維持し易く簡単に低めの枕に形状が変化し、さらに触感も硬めと柔らかめの素材を好みに合わせて使い分けることができる枕を提供する。【解決手段】互いに連結された第１袋部材３０と第２袋部材４０で、第１袋部材３０には硬い素材が袋填され、第２袋部材４０には柔らかい素材が袋填しており、それぞれ複数の袋体を有し折りたたみができ、好みの高さ形状を容易に作ることを可能としている。  また、第２袋部材４０には柔らい素材を装填し、第１袋部材３０には硬めの素材を装填することで触感も好みに合わせ使い分けが可能であり、安楽な姿勢を保つことができる。【選択図】図１
0003196530.tif 000002
【実用新案登録請求の範囲】
【請求項１】
互いに連結された第１袋部材と第２袋部材で、第１袋部材には硬い素材が袋填され、第２袋部材には柔らかい素材が袋填しており、それぞれ複数の袋体を有し、折りたたみができることを特徴とする枕。
【請求項２】
請求項１に記載した枕において、第１袋部材には硬く重い素材が装填され、第２袋部材には柔らかくて軽い素材が装填することを特徴とする枕。
【請求項３】
請求項１または２のいずれかに記載した枕において、第１袋部材の袋体の巾は３０ｍｍ〜１５０ｍｍとやや狭く、第２袋部材の袋体の巾は１５０ｍｍ以上と広いことを特徴とする枕。
【請求項４】
請求項１から３のいずれかの１項に記載した枕において、第１袋部材、第２袋部材の連結部分が、帯状で平面の布部になっていることを特徴とする枕。
【請求項５】
請求項１から４のいずれかの１項に記載した枕において、複数の袋体が並んでいる中で、隣接しているどこかの一対がファスナーで連結されていることを特徴とする枕。
【請求項６】
請求項１から５のいずれかの１項に記載した枕において、少なくとも袋部の一部分にメッシュ部分を有していることを特徴とする枕。
【考案の詳細な説明】
【技術分野】
【０００１】  本発明は枕等に係り、特に所望の高さや形状に変化させ、その状態で身体を支えることができる枕に関するものである。
【背景技術】
【０００２】  近年、高齢化社会にともない、寝具・寝姿勢について関心が高まっており、枕に対する要求も多種多様である。中でも高さと触感は、個々の好みが異なり、高さの調整はファスナーを開けるなどして中素材の入れ目を調整したり、触感も中素材を入替えるなどして、調整することが可能である。
【考案の概要】
【考案が解決しようとする課題】
【０００３】  しかしながら、上記従来の枕は調整することが手間であり、使用時に好みの状態になり難く、微調整にも時間が掛かるという問題がある。
本考案は上記従来の問題点に着目して為されたものであり、個々の好みに合った枕の形状を作ることが可能で、高めの枕の状態を維持し易く簡単に低めの枕に形状が変化し、さらに触感も硬めと柔らかめの中素材を好みに合わせて使い分けることができる枕を提供する。
【課題を解決するための手段】
【０００４】  本考案は上記課題を解決するためになされたものであり、請求項１の考案は、互いに連結された第１袋部材と第２袋部材で、第１袋部材には硬い素材が袋填され、第２袋部材には柔らかい素材が袋填しており、それぞれ複数の袋体を有し、折りたたみができることを特徴とする枕である。【０００５】  請求項２の考案は、請求項１に記載した枕において、第１袋部材には硬く重い素材が装填され、第２袋部材には柔らかくて軽い素材が装填することを特徴とする枕である。【０００６】  請求項３の考案は、請求項１または２のいずれかに記載した枕において、第１袋部材の袋体の巾は３０ｍｍ〜１５０ｍｍとやや狭く、第２袋部材の袋体の巾は１５０ｍｍ以上と広いことを特徴とする枕である。【０００７】  請求項４の考案は、請求項１から３のいずれかの１項に記載した枕において、第１袋部材、第２袋部材の連結部分が、帯状で平面の布部になっていることを特徴とする枕である。【０００８】  請求項５の考案は、請求項１から４のいずれかの１項に記載した枕において、複数の袋体が並んでいる中で、隣接しているどこかの一対がファスナーで連結されていることを特徴とする枕である。【０００９】  請求項６の考案は、請求項１から５のいずれかの１項に記載した枕において、少なくとも袋部の一部分にメッシュ部分を有していることを特徴とする枕である。
【考案の効果】
【００１０】  本考案の枕によれば、個々の好みに合った枕の形状を作ることが可能で、高めの枕形状から簡単に低めの枕形状に変化できる。触感も硬い部分と柔らかい部分を有しており、部分的に硬さを変えることが容易にでき、体調に合わせた安楽な姿勢を取ることが可能となる。
【考案を実施するための形態】
【００１１】  本考案の実施の形態１に係る枕１を図１から図８にしたがって説明する。
枕１はナイロン織布等の袋体２内に硬く重たい発泡プラスチックパイプや蕎麦殻等の内容物１２を封入し、袋体４には柔らかく軽いポリエステル綿、ウレタン等の内容物１４を封入して構成されている。枕１の上面には左右方向へ延びる７つの凸条部３、５、７、９、１１、１３、１５が設けられており、第１袋部材３０は凸条部３、５、７、９から成り、第２袋部材４０は凸条部は１１、１３、１５から成る。なお、本明細書においては図２における左右方向をそのまま左右方向とし、上方を前側、下方を後側とする。
【００１２】  上記凸条部３、５、７、９、１１、１３、１５のうち、凸条部３、５、７、９の高さＴ１はＴ２より低く巾Ｄ１は３０ｍｍ〜１５０ｍｍとやや狭く構成され硬く重い内容物１２は袋体２の中で流動性を持ちながら収まり、凸条部１１、１３、１５の高さＴ２はＴ１より高く幅Ｄ２はＤ１より広く構成され柔らかく軽い内容物１４の触感を保っている。凸条部の間には溝１０が形成されている。
【００１３】枕１は、袋部材３０と袋部材４０が平面部６に付いたファスナー２０によって繋がれており分離すことができるようになっている。
【００１４】枕１には、少なくても一部分にメッシュ生地２５が形成されている。
【００１５】この枕１の各寸法は次の通りである。
全体の左右方向の幅寸法Ｗ：６３０ｍｍ
【００１６】全体の前後方向の幅寸法Ｄ：１０００ｍｍ
凸条部３、５、７、９の前後方向の幅寸法Ｄ１：１００ｍｍ
平面部６の前後方向の幅寸法Ｄ２：６０ｍｍ
凸条部１１、１３、１５の前後方向の幅寸法Ｄ３：１８０ｍｍ
【００１７】凸条部３、５、７、９の最大高さ寸法Ｔ１：３０ｍｍ
凸条部１１、１３、１５の最大高さ寸法Ｔ２：６０ｍｍ
【００１８】次に、この枕１の使用方法について説明する。
図２に示すように、枕１は平面部６と溝１０の部分で折り曲げて重ねることができ、仰向けの姿勢で寝ると頭部が凸条部１３、１５当接する状態となり、肩部は凸条部３、頸部は５、７によって支えられ、凸条部が個人の体型に収まり安定した感じとなって、快適である。
【００１９】図４に示すように、枕１は平面部６から２つに折り重ね凸条部３、５、７、９、１１、１３、１５を寄せることで、簡易的に高めの枕を作ることができる。寝床に入ったばかりで緊張が残っている時や就寝前の読書に適しており、寄せた凸条部３、５、７、９、１１、１３、１５を広げて伸ばせば図５に示すように、簡単に睡眠に適した、やや低めの形状に変化する。
【００２０】図６に示すように、枕１を平面部６と溝１０の部分で折り曲げ仰向き姿勢で寝た状態において膝下の隙間を支えることができ、仰臥位で懸念される仙骨への体圧分散が期待できる。
【００２１】図７に示すように、枕１を平面部６と溝１０の部分で折り曲げ仰向き姿勢で寝た状態において足底を安定して支えることができ、安楽な足首の角度を保つことで寝姿勢が安定する。
また、硬く重たい中素材が装填されている凸条部３、５、７、９を下にすることで、枕の重心を下げて枕のずれを防止し、身体が触れる部分は柔らかく軽い中素材が装填されている凸条部１１、１３、１５を上にすることでフィットして心地よい安心感を得ることができる。
【００２２】図８に示すように、枕１はファスナー２０から凸条部３、５、７、９からなる第１袋部材３０と平面部６、凸条部１１、１３、１５からなる第２袋部材４０とに分離することができ、触感や形状の異なる別の袋部材と連結することができる。
【００２３】枕１には、メッシュ生地２５が形成されており、洗濯後に水抜けがよく乾き易い構造になっている。
【産業上の利用可能性】
【００２４】本考案の枕は寝装具の分野において利用可能である。
【図面の簡単な説明】
【００２５】
【図１】本考案の実施の形態１に係る枕の斜視図である。
【図２】図１の枕を２つに折り仰臥位姿勢に寝た状態の平面図である。
【図３】図１のＡ−Ａ断面である。
【図４】図１の枕を２つに折り高めの枕の状態を示す図である。
【図５】図４の枕の状態から、仰臥位姿勢に寝た状態を示す図である。
【図６】膝下に使用した場合の状態を示す図である。
【図７】足底に使用した場合の状態を示す図である。
【図８】図１の枕を分離した場合の状態を示す図である。
【符号の説明】
【００２６】１  枕      ２、４  袋体      ３、５、７、９、１１、１３、１５  凸条部
６  平面部      １０  溝      １２、１４  内容物
２０  ファスナー      ２５  メッシュ生地
３０  第１袋部材      ４０  第２袋部材
５０  人間の頭      ６０  人間の膝      ７０  人間の足先
【図１】
0003196530.tif 000003
【図２】
0003196530.tif 000004
【図３】
0003196530.tif 000005
【図４】
0003196530.tif 000006
【図５】
0003196530.tif 000007
【図６】
0003196530.tif 000008
【図７】
0003196530.tif 000009
【図８】
0003196530.tif 000010